(57)【要約】【課題】  簡単な構造で、不使用の時は容易に扁平な形態に折り畳むことができる収納ボックスを提供する。【解決手段】  相対する２対の側壁を有する長方形のボックス本体を含む。相対する１対の側壁は折り曲げ不能な固定側壁とし、相対する他の１対の側壁は折り曲げ可能とする。その折り曲げ可能な側壁を長い側壁と短い側壁とに区画し、さらに、折り曲げ可能な側壁の長い側壁と短い側壁は互いに反対側に位置させ、短い側壁の長さは固定側壁の長さよりも若干短くした。１対の折り曲げ可能な側壁の長い側壁と短い側壁は相互に反対側に位置するので、ボックス本体を偏平の形態に折り畳むことができる。【選択図】  図２
0003109540.tif 000002
【実用新案登録請求の範囲】
【請求項１】
相対する２対の側壁を有する長方形のボックス本体を含み、相対する１対の側壁は折り曲げ不能な固定側壁とし、相対する他の１対の側壁はこれに折り目を設けて折り曲げ可能とするとともに、その折り目を介して折り曲げられる側壁を長い側壁と短い側壁とに区画し、さらに、１対の折り曲げ可能な側壁の長い側壁と短い側壁は互いに反対側に位置させ、短い側壁の長さは固定側壁の長さよりも若干短くしたことを特徴とする収納ボックス。
【請求項２】
硬質材料を用いてボックス本体の四つの側壁を作るとともに、帆布、プラスチック布などのフレキシブルな表面材で前記側壁の外面を覆い、隣り合う前記側壁の間に適当なギャップを保持して、前記フレキシブルな表面材で前記隣り合う側壁同士を接続することにより、前記隣り合う側壁の間に自然に折り目を形成し、その折り目において折り曲げ可能とされていることを特徴とする請求項１に記載の収納ボックス。
【請求項３】
固定側壁に透明な覗き窓を設けたことを特徴とする請求項１又は２に記載の収納ボックス。
【考案の詳細な説明】
【技術分野】
【０００１】
本考案は、折り畳み式収納ボックスに関する。
【背景技術】
【０００２】
折り畳み式収納ボックスには、沢山の種類のものが知られいる。例えば、あるものは軟質の布で、矩形のボックスを作り、その矩形のボックスの上端四辺にそれぞれ上部水平ロッドを設置し、そのボックスの下端の対応する両辺にそれぞれ下部水平ロッドを設置する。ボックスの四つの垂直辺に、それぞれ縦ロッドを設ける。また、隣接する上部水平ロッドの末端の間、隣接の下部水平ロッド末端の間、及び縦ロッドと上下水平ロッド末端の間に、それぞれ適当な距離を保持する。ボックスの各垂直壁に対角線に沿って交差する折り目を形成する。以上の構造により、軟質のボックスはそれら縦ロッド、上部水平ロッド、下部水平ロッドの支持作用により物品を収容できる置物ボックスとなるばかりでなく、折り目に沿って折り曲げることにより、偏平状に折り畳むこともできる。
【特許文献１】特になし。
【考案の開示】
【考案が解決しようとする課題】
【０００３】
しかし、上記先行技術はボックスの下端の相対する両側に、下部水平ロッドを設置しなければならないので、複雑な構造だと言え、折り畳む操作も非常に困難であり、不便である。また、ボックスが軟質の布で作られるので、各隅をロッドで支持しても、ボックスの各面は依然として柔らかい。軟質の布でボックスの表面材とすることが好きではないユーザにとって、ニーズを満足することが出来ない。反面、硬質の板材でボックスを作れば、ボックスを折り畳むことができない。
【０００４】
本考案は、上記問題に鑑みてなされたものであり、その解決しようとする課題は、簡単な構造で、不使用の時は容易に扁平な形態に折り畳むことができる収納ボックスを提供することにある。
【課題を解決するための手段】
【０００５】
上記課題を解決するため、本考案は、相対する２対の側壁を有する長方形のボックス本体を含み、相対する１対の側壁は折り曲げ不能な固定側壁とし、相対する他の１対の側壁はこれに折り目を設けて折り曲げ可能とするとともに、その折り目を介して折り曲げられる側壁を長い側壁と短い側壁とに区画し、さらに、１対の折り曲げ可能な側壁の長い側壁と短い側壁は互いに反対側に位置させ、短い側壁の長さは固定側壁の長さよりも若干短くした。
上記構成により、１対の折り曲げ可能な側壁の長い側壁と短い側壁は相互に反対側に位置するので、ボックスを偏平の形態に折り畳むことができる。
【０００６】
本考案は、また、硬質材料を用いてボックス本体の四つの側壁を作るとともに、帆布、プラスチック布などのフレキシブルな表面材で前記側壁の外面を覆い、隣り合う側壁の間に適当なギャップを保持し、前記隣り合う側壁を前記フレキシブルな表面材で接続することにより前記隣り合う側壁の間に自然に折り目が形成され、その折り目において折り曲げ可能とされていることを特徴としている。
【考案の効果】
【０００７】
請求項１の本考案に係る収納ボックスは、長方形のボックス本体の相対する２対の側壁の内、１対の側壁の所定位置に折り目を設けるだけの簡単な構造であるから、安価に製造できる。しかも、１対の側壁を折り目に沿って折り畳むだけで簡単に扁平状に折り畳むことができ、保管スペースも多くを取らない。
【０００８】
請求項２の考案によれば、硬質材料を用いてボックス本体の四つの側壁を作るとともに、帆布、プラスチック布などのフレキシブルな表面材で前記側壁の外面を覆い、隣り合う側壁の間に適当なギャップを保持し、前記隣り合う側壁を前記フレキシブルな表面材で接続することにより前記隣り合う側壁の間に自然に折り目が形成され、その折り目において折り曲げ可能とされているので、折り畳みが容易でかつ反復折り畳みに耐えることができる強度に優れたボックス本体を容易に製作することができる。
【考案を実施するための最良の形態】
【０００９】
次に、本考案の実施の形態について、図面に基づいて説明する。
図１は本考案の理想的な実施例の分解斜視図、図２はボックス本体が折り畳まられる過程を説明する斜視図、図３は底板の折り畳み方を説明する斜視図、図４はカバーの折り畳み方を説明する斜視図である。
【００１０】
図１に示すように、本考案の収納ボックスは、平面形状が長方形のボックス本体１と、底板２と、カバー３とからなっている。
【００１１】
ボックス本体１は、矩形の底壁１５を有し、その底壁の四辺からそれぞれ上方へ延ばされた側壁を有する。相対する１対の側壁１１は、折り曲げ不能な固定側壁である。また、相対する別の１対の側壁は、これに設けてある折り目１４に沿って折り曲げることにより、折り曲げ可能である。その折り曲げ可能な側壁は、長い側壁１２と短い側壁１３とに区画されている。この場合、短い側壁１３の長さは固定側壁１１の長さよりも若干短い。また、固定側壁１１の長さは長い側壁１２の長さよりも短い。そして、二つの折り曲げ可能な側壁の長い側壁１２と短い側壁１３は互いに反対側に位置されている。つまり、各固定側壁１１の左辺及び右辺はそれぞれ短い側壁１３と長い側壁１２に接続されている。
【００１２】
本考案によるボックス本体の四つの側壁は、適当な硬度の硬質材料で作られている。そして、好ましくは、その硬質の側壁の外面は、例えば、帆布、プラスチック布などのフレキシブルな表面材で覆われている。
【００１３】
隣り合う側壁と側壁との間には適当なギャップが保持され、かつ、隣り合う側壁同士はフレキシブルな表面材で接続されている。これにより、隣り合う側壁と側壁との間に自然に折り目が形成され、その折り目において折り曲げ可能である。隣り合う側壁同士がフレキシブルな表面材で接続され、隣り合う側壁と側壁との間に自然に折り目が形成されているから、折り畳みが容易にでき、かつ、折り畳みの反復に耐える強度を備えることが容易にできる。ボックス本体１をスムーズに折り畳むために、好ましくは、ボックス本体１の底面１５は、フレキシブルな表面材で形成されている。
【００１４】
本考案では、さらに好ましくは、ボックス本体の相対する１対の固定側壁１１は折り曲げられにくい板体で形成されてもよい。ボックス本体１の別の相対する両側壁は、それぞれ二枚の異なる長さの板体で構成され、しかも、その外面がフレキシブルな表面材で覆われている。長い板体と短い板体との間のギャップも、フレキシブルな表面材だけで接続されるので、長い側壁１２と短い側壁１３との間に自然に折り目１４が形成され、その折り目において折り曲げられることができる。
【００１５】
ユーザがボックス１の内部を見ることができるように、固定側壁１１に透明の覗き窓１１１を設置することが望ましい。勿論、覗き窓は、長い側壁１２又は短い側壁１３の適当な位置に設置しても良い。
【００１６】
そして、ボックス本体１を折り畳むときは、まず、図２（ｂ）に示すように、固定側壁１１以外の両側壁を折り目１４に沿って内側方向へ押して折り曲げる。次に、図２（ｃ）に示すように、二枚の短い側壁１３をそれぞれ二つ固定側壁１１の内側面に押して合わせると、同時に、長い側壁１２の内側面同士が相互に対面して密着する。その後、二つの折り目１４に沿って折り曲げると、図２（ｄ）に示すように、ボックス本体１のすべての側壁が、偏平状態に折り畳まれる。
【００１７】
ボックス本体１の底面１５をフレキシブルな表面材で構成した場合は、物品をボックスにいれると、その底面１５が垂れ下がるので好ましくない。そこで、本考案は、これを防止するために、最良の実施の形態として、剛性の底板２をボックス本体１の底面に入れる。そして、底板２を小さな体積まで折り畳めるようにするために、図３に示すように、フレキシブル表面材で二枚の板体の外部を覆い、その二枚の板体の間にギャップを形成して折り目２１を構成してある。これにより、底板２は、図３に示すように、折り目２１において折り畳むことができるようになっている。
【００１８】
本考案は、主に偏平状態に折り畳める収納ボックスを提供するので、好ましい実施例では、ボックス本体１の上面を覆うカバー３も、偏平状態に折り畳み可能に構成されている。
【００１９】
カバー３の構造の実施例は、図１及び図４に示すように、二枚の小さな板体の間にギャップを設けて、そこに折り目３１を形成する。カバー３はボックス本体１の上端周辺の外表面にかぶせられる。そして、図４に示すように、カバー３の相対する両エンド及び両サイドはそれぞれ折り目３４を経て、エンド・ウォール３２、サイド・ウォール３３に接続されている。折り目３１の両端のサイド・ウォール３３にノッチ３７が配置されるので、エンド・ウォール３２、サイド・ウォール３３は折り目３４に沿って板体に相対するように９０度まで折り曲げられる。それから、エンド・ウォール３２、サイド・ウォール３３を結合して固定させ、又はエンド・ウォール３２、サイド・ウォール３３を完全に展開させたあとで、折り目３１に沿って二枚の板体を半分の面積になるように折り曲げる。
【００２０】
上に述べたエンド・ウォール３２、サイド・ウォール３３の固定構造の実施例は、エンド・ウォール３２の内側面にサイド・ウォール３３の外側面の相対する両側に、相互に結合できるパーツ(例えば雄粘着帯３５と雌粘着帯３６)を設置することが出来る。そうすると、エンド・ウォール３２、サイド・ウォール３３を折り目３４に沿って、板体に相対するように９０度まで折り曲げた後で、雄粘着帯３５、雌粘着帯３６を介して相互に粘着してセットすることができる。
【図面の簡単な説明】
【００２１】
【図１】本考案の理想的な実施例の分解斜視図。
【図２】ボックス本体が折り畳まられる過程を説明する斜視図。
【図３】底板の折り畳み方を説明する斜視図。
【図４】カバーの折り畳み方を説明する斜視図。
【符号の説明】
【００２２】
１      ボックス本体
１１    固定側壁
１１１  覗き窓
１２    長い側壁
１３    短い側壁
１４、２１、３１、３４    折り目
１５    底面
２      底板
３      カバー
３２    エンド・ウォール
３３    サイド・ウォール
３７    ノッチ
３５    雄粘着帯
３６    雌粘着帯
【図１】
0003109540.tif 000003
【図２】
0003109540.tif 000004
【図３】
0003109540.tif 000005
【図４】
0003109540.tif 000006